(57)【要約】【課題】製造コストが低く、色々な大きさや形状の浴槽や浴室に対応でき、かつ、掃除のしやすい排水構造を備えた浴槽カウンターを提供すること。【解決手段】平板を切削加工して得られ、中央に浴槽の本体部が嵌まり込む開口部を有する枠状のカウンター本体の一辺に、傾斜形成部材が接着されて形成され、前記一辺の上面に、前記一辺の中央から両端に向かって下り勾配となる勾配面を有するようにした。【選択図】図１
2009279063.tif 000002
【特許請求の範囲】
【請求項１】
平板を切削加工して得られ、中央に浴槽の本体部が嵌まり込む開口部を有する枠状のカウンター本体の一辺に、傾斜形成部材が接着されて形成され、前記一辺の上面に、前記一辺の中央から両端に向かって下り勾配となる勾配面を有することを特徴とする浴槽カウンター。
【請求項２】
平板を切削加工して得られ、中央に浴槽の本体部が嵌まり込む開口部を有する枠状体の一辺の上面がザグリ加工されて一辺の略全長に亘って凹部が設けられたカウンター本体の前記凹部に、傾斜形成部材が嵌合接着されて形成され、前記一辺の上面に、前記一辺の中央から両端に向かって下り勾配で、終端がカウンター本体の非ザグリ加工部上面と面一となる勾配面を有することを特徴とする浴槽カウンター。
【請求項３】
平板を切削加工して得られ、中央に浴槽の本体部が嵌まり込む開口部を有する枠状体の三辺の上面がザグリ加工されてコ字型凹部が設けられたカウンター本体の前記コ字型凹部に、傾斜形成部材が嵌合接着されて形成され、上面に前記三辺の中央辺の中央からこの中央辺に隣接する両辺の終端に向かって下り勾配で、終端がカウンター本体の非ザグリ加工部上面と面一となる勾配面を有することを特徴とする浴槽カウンター。
【発明の詳細な説明】
【技術分野】
【０００１】
本発明は、浴槽の本体部が嵌まり込む開口部を備えた浴槽カウンターに関するものである。
【背景技術】
【０００２】
従来、この種の浴槽カウンターとしては、例えば、防水パンの底面の洗い場側を除く三辺から立ち上がる側壁部に設けられたカウンター支持部に取り付けた後、浴槽カウンターの開口部に浴槽の本体部を嵌め込むようにしたものが提案されている（例えば、特許文献1参照）。
また、浴槽カウンターが、浴室壁面形状に沿う平面視略矩形の枠状に形成され、浴室壁面に対向する三辺にＬ形部が形成されていて、浴室壁面に取り付けたときに、浴室壁面とL形部との間に浴槽から溢れた湯水を洗い場に排水するための排水溝が形成されるようにしたものが提案されている（例えば、特許文献２参照）。
【０００３】
しかしながら、前者の浴槽カウンターは、単にカウンター支持部に支持されているだけで、浴槽カウンター上面の湯水を洗い場パン側に排水するための排水機能を備えていないため、浴槽カウンター上面に残水しやすく、カビやヌメリが発生しやすい。
一方、後者の浴槽カウンターは、壁面と浴槽との間に凹状の排水溝が形成されるため、排水溝の掃除がしにくいという問題がある。
さらに、上記の浴槽カウンターはいずれも、射出成形、プレス成形、鋳造などによって成形されるため、専用の金型を必要とする。そのため、浴槽カウンターを色々な大きさや形状の浴槽や浴室のそれぞれに最適な形状に製造しようとすると、製造コストが見合わないという問題がある。
【特許文献１】実公平６−８７８２号公報
【特許文献２】特開２００２−２５３４３７号公報
【発明の開示】
【発明が解決しようとする課題】
【０００４】
本発明は、上記問題点に鑑みてなされたものであって、製造コストが低く、色々な大きさや形状の浴槽や浴室に対応でき、かつ、掃除のしやすい排水構造を備えた浴槽カウンターを提供することにある。
【課題を解決するための手段】
【０００５】
上記課題を解決するために、請求項１記載の発明は、平板を切削加工して得られ、中央に浴槽の本体部が嵌まり込む開口部を有する枠状のカウンター本体の一辺に、傾斜形成部材が接着されて形成され、前記一辺の上面に、前記一辺の中央から両端に向かって下り勾配となる勾配面を有することを特徴とする。
【０００６】
請求項２記載の発明は、平板を切削加工して得られ、中央に浴槽の本体部が嵌まり込む開口部を有する枠状体の一辺の上面がザグリ加工されて一辺の略全長に亘って凹部が設けられたカウンター本体の前記凹部に、傾斜形成部材が嵌合接着されて形成され、前記一辺の上面に、前記一辺の中央から両端に向かって下り勾配で、終端がカウンター本体の非ザグリ加工部上面と面一となる勾配面を有することを特徴とする。
【０００７】
請求項３記載の発明は、平板を切削加工して得られ、中央に浴槽の本体部が嵌まり込む開口部を有する枠状体の三辺の上面がザグリ加工されてコ字型凹部が設けられたカウンター本体の前記コ字型凹部に、傾斜形成部材が嵌合接着されて形成され、上面に前記三辺の中央辺の中央からこの中央辺に隣接する両辺の終端に向かって下り勾配で、終端がカウンター本体の非ザグリ加工部上面と面一となる勾配面を有することを特徴とする。
【発明の効果】
【０００８】
請求項１記載の発明は、平板を切削加工して得られ、中央に浴槽の本体部が嵌まり込む開口部を有する枠状のカウンター本体の一辺に、傾斜形成部材が接着されて形成され、前記一辺の上面に、前記一辺の中央から両端に向かって下り勾配となる勾配面を有するので、製造コストが低く、色々な大きさや形状の浴槽や浴室に対応できる。また、排水性に優れ、掃除もしやすい。
【０００９】
請求項２記載の発明は、平板を切削加工して得られ、中央に浴槽の本体部が嵌まり込む開口部を有する枠状体の一辺の上面がザグリ加工されて一辺の略全長に亘って凹部が設けられたカウンター本体の前記凹部に、傾斜形成部材が嵌合接着されて形成され、前記一辺の上面に、前記一辺の中央から両端に向かって下り勾配で、終端がカウンター本体の非ザグリ加工部上面と面一となる勾配面を有するので、製造コストが低く、色々な大きさや形状の浴槽や浴室に対応できる。また、排水性に優れ、掃除もしやすい。さらに、カウンター本体に凹部が設けられているので、傾斜形成部材の位置決めがしやすい。
【００１０】
請求項３記載の発明は、平板を切削加工して得られ、中央に浴槽の本体部が嵌まり込む開口部を有する枠状体の三辺の上面がザグリ加工されてコ字型凹部が設けられたカウンター本体の前記コ字型凹部に、傾斜形成部材が嵌合接着されて形成され、上面に前記三辺の中央辺の中央からこの中央辺に隣接する両辺の終端に向かって下り勾配で、終端がカウンター本体の非ザグリ加工部上面と面一となる勾配面を有するので、製造コストが低く、色々な大きさや形状の浴槽や浴室に対応できる。また、カウンター本体の一辺の中央から両端に向かって下り勾配の勾配面を有するものに比べて、より一層、排水性に優れている上、掃除もしやすい。さらに、カウンター本体にコ字型凹部が設けられているので、傾斜形成部材の位置決めがしやすい。
【発明を実施するための最良の形態】
【００１１】
以下、本発明にかかる浴槽カウンターの第１の実施形態について、図面に基づいて、詳細に説明する。
図１に示すように、本実施形態の浴槽カウンター１ａは、浴槽の本体部が嵌まり込む開口部２０を備えた平面視長方形枠状のカウンター本体２と、カウンター本体２の洗い場と反対側となる長辺の上面に設けられている両側傾斜形成部材３と、前記長辺に隣接する両短辺の表面に設けられている片側傾斜形成部材４，４とが、接着一体化されている。
【００１２】
すなわち、カウンター本体２は、本体部２１と前板２２とから構成されており、本体部２１の洗い場側となる一辺を除く三辺の上面に、平面視コ字型の凹部２３が設けられている。また、本体部２１の裏面には、後述する支持金具Ｅに固定するための固定ボルト５が固定されている。
【００１３】
カウンター本体２は、以下の手順によって形成されている。
まず、図２（ａ）に示すように、合成樹脂製の平板Ａを用意する。平板Ａは、例えば、押出成形によって形成する。平板Ａは、設置対象となる全ての浴室ユニットに使用できるように、設置対象となる最大サイズの浴室ユニットに合わせ、例えば、２００ｍｍ×１５０ｍｍとする。
次に、図２（ｂ）に示すように、平板Ａを切削加工して、設置対象となる浴室ユニット内の浴槽カウンター設置部の内寸に合わせるとともに、浴槽の本体部を嵌め込み可能な開口部２０を設け、ベース枠Ｂを形成する。
さらに、図２（ｃ）に示すように、ベース枠Ｂの洗い場側となる一辺を除く三辺をザグリ加工して凹部２３を備えた本体部２１を形成する。凹部２３の深さは、片側傾斜形成部材４の最小厚さと同一寸法とする。また、本体部２１における洗い場側となる一辺を除く三辺の裏面に、固定ボルト５を、ボルト頭部を埋め込んだ状態で設ける。
そして、図２（ｄ）に示すように、本体部２１の洗い場側となる一辺の端部に、帯状の前板２２を接着する。
各部材の継ぎ目部分が面一となるように、表面を研磨して仕上げる。
【００１４】
両側傾斜形成部材３は、合成樹脂製の板材を切削加工して形成されており、図３に示すように、長さ方向略中央部から両端に向かって１／１００程度の下り勾配となる傾斜部３０と、傾斜部３０の両端に連続する平面部３１とを備えている。平板部３１の厚さは、片側傾斜形成部材４の最大厚さと同一となっている。
【００１５】
片側傾斜形成部材４は、合成樹脂製の板材を切削加工して形成されており、図４に示すように、一方向に１／１００程度の下り勾配の傾斜部４０を有している。
【００１６】
そして、浴槽カウンター１ａは、図５に示すように、本体部２１の長辺の凹部２３に、両側傾斜形成部材３を嵌合接着し、前記長辺に隣接する両短辺の凹部２３に、片側傾斜形成部材４，４を嵌合接着することにより形成されている。
片側傾斜形成部材４は、図５、図６に示すように、洗い場側となる一辺に向かって下り勾配となるように配置されている。
そして、両側傾斜形成部材３の平板部３１は、片側傾斜形成部材４の基端４１と面一となっており、片側傾斜形成部材４の終端４２は、本体部２１の非ザグリ加工部上面２６と面一となっている。
【００１７】
支持金具Ｅは、図５、図７に示すように、カウンター支持部Ｆと壁面固定部Ｇとを備えている。カウンター支持部Ｆには浴槽カウンター１ａをボルト固定するためのボルト挿通孔Ｈが設けられている。そして、支持金具Ｅは、図７に示すように、浴槽周りの壁面パネルＷにあらかじめ取り付けられている。
【００１８】
次に、上記構成の浴槽カウンター１ａの浴室内での施工手順について説明する。
まず、図７、図８に示すように、固定ボルト５を支持金具Ｅのボルト挿通孔Ｈに挿通させ、支持金具Ｅの裏面から突出した雄ねじ部５１にナット６を捩じ込んで、浴槽カウンター１ａを支持金具Ｅ上に固定する。
次に、浴槽カウンター１ａの開口部２０に、浴槽Ｊの本体部Ｊ１を落とし込み、浴槽Ｊを防水パンＫ上に載置する。
最後に、浴槽Ｊのフランジ部Ｊ２と浴槽カウンター１ａとの隙間Ｓに、コーキング材（図示せず）を充填して仕上げる。
【００１９】
以上詳述したように、本実施形態の浴槽カウンター１ａは、カウンター本体２が、平面視略矩形状の合成樹脂製の平板Ａを切削加工して形成されているので、多くの金型を必要とせず、製造コストが低い上、色々な大きさや形状の浴槽や浴室に対応できる。
また、本実施形態の浴槽カウンター１ａは、洗い場と反対側となる辺の中央からこの辺に隣接する両辺の終端に向かって下り勾配で、終端が本体部２１の非ザグリ加工部上面２６と面一となる勾配面を有しているので、浴槽カウンター１ａの上面の湯水を洗い場側にスムーズに排水することができ、しかも、掃除がしやすい。
さらに、本体部２１に凹部２３が設けられているので、両側傾斜形成部材３，片側傾斜形成部材４の位置決めがしやすい。
【００２０】
次に、本発明にかかる第２の実施形態について説明する。図９に示すように、本実施形態の浴槽カウンター１ｂは、本体部２１の洗い場と反対側となる長辺の表面をザグリ加工して凹部２４を形成し、この凹部２４に両側傾斜形成部材３を嵌合接着したもので、これ以外の構成は、第１の実施形態と同一構成であるので、同一構成部分については同一の符号を付し、詳細な説明は省略する。
本実施形態において、凹部２４の深さは、両側傾斜形成部材３の平板部３１の厚さと同一寸法であり、両側傾斜形成部材３の平板部３１は、本体部２１の非ザグリ加工部上面２６と面一となっている。
【００２１】
本実施形態の浴槽カウンター１ｂは、カウンター本体２が、合成樹脂製の平板Ａを切削加工して形成されているので、多くの金型を必要とせず、製造コストが低い上、色々な大きさや形状の浴槽や浴室に対応できる。
また、洗い場と反対側となる辺の中央からこの辺に隣接する両辺の終端に向かって下り勾配で、終端が本体部２１の非ザグリ加工部上面２６と面一となる勾配面を有しているので、浴槽カウンター１ｂの上面の湯水を洗い場側にスムーズに排水することができ、しかも、掃除がしやすい。
さらに、本体部２１に凹部２４が設けられているので、両側傾斜形成部材３の位置決めがしやすい。
【００２２】
次に、本発明にかかる第３の実施形態について説明する。図１０に示すように、本実施形態の浴槽カウンター１ｃは、本体部２１の洗い場と反対側となる長辺の表面をザグリ加工して凹部２４を形成し、この凹部２４に両側傾斜形成部材３を嵌合接着し、さらに、本体部２１の両短辺とこの両短辺を支持する支持金具Ｅとの間に、１／１００程度の下り勾配を有する楔形スペーサ７を介装させ、カウンター本体２全体を洗い場側に傾斜させたものである。
本実施形態において、凹部２４の深さは、両側傾斜形成部材３の平板部３１の厚さと同一寸法であり、両側傾斜形成部材３の平板部３１は、本体部２１の非ザグリ加工部上面２６と面一となっている。
【００２３】
本実施形態の浴槽カウンター１ｃは、カウンター本体２が、合成樹脂製の平板Ａを切削加工して形成されているので、多くの金型を必要とせず、製造コストが低い上、色々な大きさや形状の浴槽や浴室に対応できる。
また、洗い場と反対側となる辺の中央からこの辺に隣接する両辺の終端に向かって下り勾配で、終端が本体部２１の非ザグリ加工部上面２６と面一となる勾配面を有しており、さらに、楔形スペーサ７により、カウンター本体２全体が洗い場側に傾斜しているので、浴槽カウンター１ｃの上面の湯水を洗い場側にスムーズに排水することができ、しかも、掃除がしやすい。
さらに、本体部２１に凹部２４が設けられているので、両側傾斜形成部材３の位置決めがしやすい。
【００２４】
次に、本発明にかかる第４の実施形態について説明する。図１１に示すように、本実施形態の浴槽カウンター１ｄは、片側傾斜形成部材４の裏面に凸部４３を設け、本体部２１の両短辺の洗い場側の上面に、前記凸部４３が嵌合する凹部２５を設けたものである。
【００２５】
本実施形態の浴槽カウンター１ｄは、カウンター本体２が、合成樹脂製の平板Ａを切削加工して形成されているので、多くの金型を必要とせず、製造コストが低い上、色々な大きさや形状の浴槽や浴室に対応できる。
また、洗い場と反対側となる辺の中央からこの辺に隣接する両辺の終端に向かって下り勾配で、終端が本体部２１の非ザグリ加工部上面２６と面一となる勾配面を有しているので、浴槽カウンター１ｄの上面の湯水を洗い場側にスムーズに排水することができ、しかも、掃除がしやすい。その上、第１の実施形態のように、片側傾斜形成部材４を嵌合接着するために、本体部２１の短辺全面をザグリ加工する必要がなく、加工の手間を軽減できるという利点もある。
【００２６】
また、浴槽カウンター１ａ〜１ｄと支持金具Ｅとの固定方法は、カウンター本体２に埋め込んだ固定ボルト５を支持金具Ｅの裏面側からナット６を捩じ込む方法に限られず、例えば、カウンター本体２に、支持金具Ｅのボルト挿通孔Ｈの内径よりも大径のゴム状弾性体を埋め込み、ゴム状弾性体を支持金具Ｅのボルト挿通孔Ｈに圧入して弾性嵌着させるようにしてもよい。
【００２７】
また、カウンター本体２、両側傾斜形成部材３、片側傾斜形成部材４はいずれも、板材を切削加工して形成できればよく、その材質は、合成樹脂に限られず、例えば、金属や木材であっても構わない。
【００２８】
また、カウンター本体２は、本体部２１の洗い場側となる一辺の端部に、帯状の前板２２を後付けして形成されているが、これに限られず、あらかじめ前板部分を一体に備えた板材で形成されていても構わない。
【００２９】
また、本発明の浴槽カウンターを構成する傾斜形成部材は、上記実施形態の両側傾斜形成部材３または片側傾斜形成部材４に限られず、例えば、多数の傾斜形成ピースで構成し、カウンター本体２の凹部２３〜２５に、前記傾斜形成ピースを連結配置することにより、カウンター本体２の上面に所望の勾配面を形成するようにしてもよい。このようにすれば、平板Ａの切削加工時に発生した切断片を有効に利用できる。
【図面の簡単な説明】
【００３０】
【図１】本発明にかかる第１の実施形態の浴槽カウンター１ａの斜視図である。
【図２】平板Ａからカウンター本体２を製造する手順を示す説明図である。
【図３】両側傾斜形成部材３の側面図である。
【図４】片側傾斜形成部材４の側面図である。
【図５】カウンター本体２に両側傾斜形成部材３と片側傾斜形成部材４とを取り付けて、浴槽カウンター１ａを形成する手順を示す説明図である。
【図６】浴槽カウンター１ａの洗い場側の端部の側面図である。
【図７】浴槽カウンター１ａの施工例を示す説明図である。
【図８】浴槽カウンター１ａの浴室壁パネルＷへの固定構造を示す要部拡大断面図である。
【図９】本発明にかかる第２の実施形態の浴槽カウンター１ｂの斜視図である。
【図１０】本発明にかかる第３の実施形態の浴槽カウンター１ｃの斜視図である。
【図１１】本発明にかかる第４の実施形態の浴槽カウンター１ｄの洗い場側の端部の側面図である。
【符号の説明】
【００３１】
１ａ  浴槽カウンター
１ｂ  浴槽カウンター
１ｃ  浴槽カウンター
１ｄ  浴槽カウンター
２    カウンター本体
３    両側傾斜形成部材（傾斜形成部材）
４    片側傾斜形成部材（傾斜形成部材）
２０  開口部
２３  凹部（コ字型凹部）
２４  凹部
２５  凹部
２６  非ザグリ加工部上面
３０  傾斜部（勾配面）
４０  傾斜部（勾配面）
Ａ    平板
Ｂ    ベース枠（枠状体）
【図１】
2009279063.tif 000003
【図２】
2009279063.tif 000004
【図３】
2009279063.tif 000005
【図４】
2009279063.tif 000006
【図５】
2009279063.tif 000007
【図６】
2009279063.tif 000008
【図７】
2009279063.tif 000009
【図８】
2009279063.tif 000010
【図９】
2009279063.tif 000011
【図１０】
2009279063.tif 000012
【図１１】
2009279063.tif 000013